(57)【要約】【課題】  標準タイプのディスク型記録媒体などのインク汚染を防止すること。【解決手段】  印刷制御データ生成装置の印刷イメージ生成手段３８は、印刷可能な標準タイプのディスク型記録媒体４Ａよりチャッキング孔５２近傍まで印刷範囲を有するピクチャタイプのディスク型記録媒体４Ｂに対する印刷イメージを生成する。印刷イメージ修正手段４０は、印刷対象のディスク型記録媒体４が標準タイプである場合に、印刷イメージ生成手段３８による印刷イメージの一部を削除して、標準タイプのディスク型記録媒体４Ａの印刷範囲に合った印刷イメージを生成する。印刷制御データ生成手段４１は、印刷イメージ修正手段４０により生成された印刷イメージから、印刷対象のディスク型記録媒体４へ印刷するための印刷制御データを生成する。【選択図】  図１
2006255905.tif 000002
【特許請求の範囲】
【請求項１】
印刷可能な標準タイプのディスク型記録媒体よりチャッキング孔近傍まで印刷範囲を有するピクチャタイプのディスク型記録媒体に対する印刷イメージを生成する印刷イメージ生成手段と、
印刷対象のディスク型記録媒体が標準タイプである場合に、上記印刷イメージ生成手段による印刷イメージの一部を削除して、標準タイプのディスク型記録媒体の印刷範囲に合った印刷イメージを生成する印刷イメージ修正手段と、
上記印刷イメージ修正手段により生成された印刷イメージから、上記印刷対象のディスク型記録媒体へ印刷するための印刷制御データを生成する印刷制御データ生成手段と、
を有することを特徴とする印刷制御データ生成装置。
【請求項２】
ユーザの操作に基づいてディスク型記録媒体のタイプを選択するタイプ選択手段を有し、
前記印刷イメージ修正手段は、上記タイプ選択手段により選択されたタイプがピクチャタイプであって、かつ印刷対象のディスク型記録媒体の印刷範囲と上記タイプ選択手段により選択されたタイプの印刷範囲とが整合しない場合に、上記印刷イメージ生成手段による印刷イメージの一部を削除して、標準タイプのディスク型記録媒体の印刷範囲に合った印刷イメージを生成すること、
を特徴とする請求項１記載の印刷制御データ生成装置。
【請求項３】
請求項１または２記載の印刷制御データ生成装置と、
上記印刷制御データ生成装置により生成された印刷制御データに基づいて印刷対象のディスク型記録媒体に印刷イメージを印刷する印刷装置と、
を有することを特徴とする印刷システム。
【請求項４】
前記印刷装置は、印刷対象のディスク型記録媒体の印刷範囲を検出する印刷範囲検出手段を有し、
前記印刷制御データ生成装置の印刷イメージ修正手段は、上記印刷範囲検出手段により検出された印刷範囲が標準タイプのものである場合に、前記印刷イメージ生成手段による印刷イメージの一部を削除して、標準タイプのディスク型記録媒体の印刷範囲に合った印刷イメージを生成すること、
を特徴とする請求項３記載の印刷システム。
【請求項５】
前記印刷範囲検出手段は、印刷対象のディスク型記録媒体の印刷面の反射率の分布に基づいて印刷範囲を検出することを特徴とする請求項４記載の印刷システム。
【請求項６】
前記印刷範囲検出手段は、
印刷対象のディスク型記録媒体に記録されたマークを光学的に読み取り、そのマークに含まれる印刷範囲の内径および外径の情報を抽出して印刷範囲を検出することを特徴とする請求項４記載の印刷システム。
【請求項７】
前記印刷範囲検出手段は、インクカートリッジを搭載され印刷対象の搬送方向に対し垂直に往復移動するキャリッジに設けられ、印刷対象へ光を照射し印刷対象からの反射光を検出する光学センサであることを特徴とする請求項５または６記載の印刷システム。
【請求項８】
前記印刷装置は、印刷対象のディスク型記録媒体のタイプを検出するタイプ検出手段を有し、
前記印刷制御データ生成装置の印刷イメージ修正手段は、上記タイプ検出手段により検出されたタイプが標準タイプである場合に、前記印刷イメージ生成手段による印刷イメージの一部を削除して、標準タイプのディスク型記録媒体の印刷範囲に合った印刷イメージを生成すること、
を特徴とする請求項３記載の印刷システム。
【請求項９】
前記タイプ検出手段は、印刷対象のディスク型記録媒体に記録されたマークを光学的に読み取りタイプを検出することを特徴とする請求項８記載の印刷システム。
【請求項１０】
前記タイプ検出手段は、インクカートリッジを搭載され印刷対象の搬送方向に対し垂直に往復移動するキャリッジに設けられ、印刷対象へ光を照射し印刷対象からの反射光を検出する光学センサであることを特徴とする請求項９記載の印刷システム。
【請求項１１】
印刷可能な標準タイプのディスク型記録媒体よりチャッキング孔近傍まで印刷範囲を有するピクチャタイプのディスク型記録媒体に対して印刷するための印刷制御データを取得する印刷制御データ取得手段と、
印刷対象のディスク型記録媒体が標準タイプである場合に、上記印刷制御データ取得手段による印刷制御データの一部を削除して、標準タイプのディスク型記録媒体の印刷範囲に合った印刷イメージを印刷させる印刷制御手段と、
を有することを特徴とする印刷装置。
【請求項１２】
印刷対象のディスク型記録媒体の中心位置を検出するとともに、中心位置の検出動作時に併せて印刷対象のディスク型記録媒体の印刷範囲を検出する印刷範囲検出手段を有することを特徴とする請求項１１記載の印刷装置。
【請求項１３】
前記印刷範囲検出手段は、インクカートリッジを搭載され印刷対象の搬送方向に対し垂直に往復移動するキャリッジに設けられ、印刷対象へ光を照射し印刷対象からの反射光を検出する光学センサであることを特徴とする請求項１２記載の印刷装置。
【請求項１４】
印刷可能な標準タイプのディスク型記録媒体よりチャッキング孔近傍まで印刷範囲を有するピクチャタイプのディスク型記録媒体に対する印刷イメージを生成するステップと、
印刷対象のディスク型記録媒体が標準タイプである場合に、生成した上記印刷イメージの一部を削除し標準タイプの印刷範囲に合致した印刷イメージを、印刷対象のディスク型記録媒体に印刷するステップと、
を有することを特徴とする印刷方法。
【請求項１５】
印刷面と、上記印刷面の印刷範囲の情報を含むマークと、を有する記録媒体。
【発明の詳細な説明】
【技術分野】
【０００１】
本発明は、印刷制御データ生成装置、印刷システム、印刷装置、印刷方法および記録媒体に関する。
【背景技術】
【０００２】
特許文献１は、ＣＤ−Ｒ（Ｃｏｍｐａｃｔ  Ｄｉｓｋ  Ｒｅｃｏｒｄａｂｌｅ）等の媒体の表面に印刷を行う印刷制御装置を開示する。この印刷制御装置は、媒体に備えられた印刷範囲を検知する検知手段を有する。そして、印刷制御装置は、表示に基づいて選択した種類の媒体の領域と、検知手段にて検知した媒体の印刷範囲とが同じ大きさであるか否かを判断し、これらが同じ大きさである場合に印刷をする。
【０００３】
【特許文献１】特開２００４−２３７５５４号公報（要約、特許請求の範囲、発明の実施の形態など）
【発明の開示】
【発明が解決しようとする課題】
【０００４】
特許文献１の印刷制御装置などの印刷システムにより印刷可能なＣＤ−Ｒなどのディスク型記録媒体として、近年、ピクチャタイプのディスク型記録媒体の提供がされ始めている。ピクチャタイプのディスク型記録媒体の印刷範囲は、標準タイプのディスク型記録媒体の印刷範囲と比べて広く、ディスク型記録媒体の中心に形成されたチャッキング孔近傍までの範囲になっている。
【０００５】
そのため、ディスク型記録媒体に印刷をする印刷システムには、ピクチャタイプのディスク型記録媒体へ印刷できるようにするという要求がある。その一方で、市場では、標準タイプのディスク型記録媒体と、ピクチャタイプのディスク型記録媒体とが混在して販売される。このような状況下では、ユーザが、誤って印刷システムに標準タイプのディスク型記録媒体を装着しているにも拘らず、ピクチャタイプの印刷範囲のサイズで印刷されてしまう可能性がある。
【０００６】
ピクチャタイプのディスク型記録媒体の印刷範囲は、標準タイプのディスク型記録媒体の印刷範囲より広い。したがって、このような誤った印刷がなされてしまうと、その標準タイプのディスク型記録媒体のチャッキング孔に近い部位へ吐出されたインクは、ディスク型記録媒体の表面に定着することなく、ディスク型記録媒体の表面に付着する。その結果、そのインクが付着したディスク型記録媒体、その印刷に使用したディスク型記録媒体を収容するトレイや印刷システムの内部などが、その定着しないインクにより汚染されてしまうことになる。
【０００７】
本発明は、標準タイプのディスク型記録媒体などのインク汚染を防止する印刷制御データ生成装置、印刷システム、印刷装置、印刷方法および記録媒体を得ることを目的とする。
【課題を解決するための手段】
【０００８】
本発明に係る印刷制御データ生成装置は、印刷可能な標準タイプのディスク型記録媒体よりチャッキング孔近傍まで印刷範囲を有するピクチャタイプのディスク型記録媒体に対する印刷イメージを生成する印刷イメージ生成手段と、印刷対象のディスク型記録媒体が標準タイプである場合に、印刷イメージ生成手段による印刷イメージの一部を削除して、標準タイプのディスク型記録媒体の印刷範囲に合った印刷イメージを生成する印刷イメージ修正手段と、印刷イメージ修正手段により生成された印刷イメージから、印刷対象のディスク型記録媒体へ印刷するための印刷制御データを生成する印刷制御データ生成手段と、を有するものである。
【０００９】
この構成を採用すれば、印刷対象のディスク型記録媒体が標準タイプのディスク型記録媒体である場合においては、印刷イメージを標準タイプのディスク型記録媒体の印刷範囲に合った印刷イメージへ修正する。その結果、その標準タイプのディスク型記録媒体の印刷範囲外に対して印刷をさせてしまうことはなく、標準タイプのディスク型記録媒体などのインク汚染を防止することができる。
【００１０】
本発明に係る印刷制御データ生成装置は、上述した発明の構成に加えて、ユーザの操作に基づいてディスク型記録媒体のタイプを選択するタイプ選択手段を有し、印刷イメージ修正手段が、タイプ選択手段により選択されたタイプがピクチャタイプであって、かつ印刷対象のディスク型記録媒体の印刷範囲とタイプ選択手段により選択されたタイプの印刷範囲とが整合しない場合に、印刷イメージ生成手段による印刷イメージの一部を削除して、標準タイプのディスク型記録媒体の印刷範囲に合った印刷イメージを生成するものである。
【００１１】
この構成を採用すれば、ユーザがピクチャタイプのディスク型記録媒体を選択し、それに基づいて印刷対象の標準タイプのディスク型記録媒体に対する印刷をする場合においては、印刷イメージを標準タイプのディスク型記録媒体の印刷範囲に合った印刷イメージへ修正する。その結果、その標準タイプのディスク型記録媒体の印刷範囲外に対して印刷をさせてしまうことはなく、標準タイプのディスク型記録媒体などのインク汚染を防止することができる。
【００１２】
本発明に係る印刷システムは、上述した発明に係る各構成の印刷制御データ生成装置と、印刷制御データ生成装置により生成された印刷制御データに基づいて印刷対象のディスク型記録媒体に印刷イメージを印刷する印刷装置と、を有するものである。
【００１３】
この構成を採用すれば、印刷対象のディスク型記録媒体が標準タイプのディスク型記録媒体である場合においては、印刷イメージを標準タイプのディスク型記録媒体の印刷範囲に合った印刷イメージへ修正する。その結果、その標準タイプのディスク型記録媒体の印刷範囲外に対して印刷をさせてしまうことはなく、標準タイプのディスク型記録媒体などのインク汚染を防止することができる。
【００１４】
本発明に係る印刷システムは、上述した発明の構成に加えて、印刷装置が、印刷対象のディスク型記録媒体の印刷範囲を検出する印刷範囲検出手段を有し、印刷制御データ生成装置の印刷イメージ修正手段が、印刷範囲検出手段により検出された印刷範囲が標準タイプのものである場合に、印刷イメージ生成手段による印刷イメージの一部を削除して、標準タイプのディスク型記録媒体の印刷範囲に合った印刷イメージを生成するものである。
【００１５】
この構成を採用すれば、印刷装置に装着された印刷対象のディスク型記録媒体の印刷範囲を実際に検出し、その検出に基づいて、標準タイプのディスク型記録媒体に対して、その印刷範囲に合った印刷をすることができる。
【００１６】
本発明に係る印刷システムは、上述した発明の各構成に加えて、印刷範囲検出手段が、印刷対象のディスク型記録媒体の印刷面の反射率の分布に基づいて印刷範囲を検出するものである。
【００１７】
この構成を採用すれば、簡単な構成で印刷範囲を検出することができる。
【００１８】
本発明に係る印刷システムは、上述した発明の各構成に加えて、印刷範囲検出手段が、印刷対象のディスク型記録媒体に記録されたマークを光学的に読み取り、そのマークに含まれる印刷範囲の内径および外径の情報を抽出して印刷範囲を検出するものである。
【００１９】
この構成を採用すれば、簡単な構成で印刷範囲を検出することができる。
【００２０】
本発明に係る印刷システムは、上述した発明の各構成に加えて、印刷範囲検出手段が、インクカートリッジを搭載され印刷対象の搬送方向に対し垂直に往復移動するキャリッジに設けられ、印刷対象へ光を照射し印刷対象からの反射光を検出する光学センサであるものである。
【００２１】
この構成を採用すれば、印刷紙の紙幅検出のための光学センサと兼用することができ、低コストで印刷範囲を検出することができる。
【００２２】
本発明に係る印刷システムは、上述した発明の各構成に加えて、印刷装置が、印刷対象のディスク型記録媒体のタイプを検出するタイプ検出手段を有し、印刷制御データ生成装置の印刷イメージ修正手段が、タイプ検出手段により検出されたタイプが標準タイプである場合に、印刷イメージ生成手段による印刷イメージの一部を削除して、標準タイプのディスク型記録媒体の印刷範囲に合った印刷イメージを生成するものである。
【００２３】
この構成を採用すれば、印刷装置に装着された印刷対象のディスク型記録媒体のタイプを検出し、その検出に基づいて、標準タイプのディスク型記録媒体に対して、その印刷範囲に合った印刷をすることができる。
【００２４】
本発明に係る印刷システムは、上述した発明の各構成に加えて、タイプ検出手段が、印刷対象のディスク型記録媒体に記録されたマークを光学的に読み取りタイプを検出するものである。
【００２５】
この構成を採用すれば、簡単な構成でタイプを検出することができる。
【００２６】
本発明に係る印刷システムは、上述した発明の各構成に加えて、タイプ検出手段が、インクカートリッジを搭載され印刷対象の搬送方向に対し垂直に往復移動するキャリッジに設けられ、印刷対象へ光を照射し印刷対象からの反射光を検出する光学センサであるものである。
【００２７】
この構成を採用すれば、印刷紙の紙幅検出のための光学センサと兼用することができ、低コストで印刷範囲を検出することができる。
【００２８】
本発明に係る印刷装置は、印刷可能な標準タイプのディスク型記録媒体よりチャッキング孔近傍まで印刷範囲を有するピクチャタイプのディスク型記録媒体に対して印刷するための印刷制御データを取得する印刷制御データ取得手段と、印刷対象のディスク型記録媒体が標準タイプである場合に、印刷制御データ取得手段による印刷制御データの一部を削除して、標準タイプのディスク型記録媒体の印刷範囲に合った印刷イメージを印刷させる印刷制御手段と、を有するものである。
【００２９】
この構成を採用すれば、印刷対象のディスク型記録媒体が標準タイプである場合において、印刷制御データの一部を削除して、標準タイプのディスク型記録媒体の印刷範囲に合った印刷イメージを印刷する。その結果、その標準タイプのディスク型記録媒体の印刷範囲外に対して印刷をしてしまうことはなく、標準タイプのディスク型記録媒体などのインク汚染を防止することができる。
【００３０】
本発明に係る印刷装置は、上述した発明の構成に加えて、印刷対象のディスク型記録媒体の中心位置を検出するとともに、中心位置の検出動作時に併せて印刷対象のディスク型記録媒体の印刷範囲を検出する印刷範囲検出手段を有するものである。
【００３１】
この構成を採用すれば、１回の検出動作で、中心位置の検出と、印刷対象のディスク型記録媒体の印刷範囲とを検出することができ、印刷開始までの時間を短縮することができる。
【００３２】
本発明に係る印刷装置は、上述した発明の各構成に加えて、印刷範囲検出手段が、インクカートリッジを搭載され印刷対象の搬送方向に対し垂直に往復移動するキャリッジに設けられ、印刷対象へ光を照射し印刷対象からの反射光を検出する光学センサであるものである。
【００３３】
この構成を採用すれば、印刷紙の紙幅検出のための光学センサと兼用することができ、低コストで印刷範囲を検出することができる。
【００３４】
本発明に係る印刷方法は、印刷可能な標準タイプのディスク型記録媒体よりチャッキング孔近傍まで印刷範囲を有するピクチャタイプのディスク型記録媒体に対する印刷イメージを生成するステップと、印刷対象のディスク型記録媒体が標準タイプである場合に、生成した印刷イメージの一部を削除し標準タイプの印刷範囲に合致した印刷イメージを、印刷対象のディスク型記録媒体に印刷するステップと、を有するものである。
【００３５】
この方法を採用すれば、印刷対象のディスク型記録媒体が標準タイプのディスク型記録媒体である場合においては、印刷イメージを標準タイプのディスク型記録媒体の印刷範囲に合った印刷イメージへ修正する。その結果、その標準タイプのディスク型記録媒体の印刷範囲外に対して印刷をさせてしまうことはなく、標準タイプのディスク型記録媒体などのインク汚染を防止することができる。
【００３６】
本発明に係る記録媒体は、印刷面と、印刷面の印刷範囲の情報を含むマークと、を有するものである。
【００３７】
この構成を採用すれば、印刷装置は、その記録媒体のマークを読み取りそれに基づいてその記録媒体に印刷する印刷イメージを、その記録媒体の印刷範囲に修正することができる。その結果、標準タイプのディスク型記録媒体の印刷範囲外に対して印刷をさせてしまうことはなく、標準タイプのディスク型記録媒体などのインク汚染を防止することができる。
【発明を実施するための最良の形態】
【００３８】
以下、本発明の実施の形態に係る印刷制御データ生成装置、印刷システム、印刷装置、印刷方法および記録媒体を、図面に基づいて説明する。印刷システムは、コンピュータおよびプリンタで構成される場合を例として説明する。印刷制御データ生成装置は、コンピュータの一部として説明する。印刷制御データ生成方法は、コンピュータの動作の一部として説明する。印刷装置は、プリンタを例として説明する。記録媒体は、ディスク型記録媒体を例として説明する。
【００３９】
実施の形態１．
図１は、本発明の実施の形態１に係る印刷システムを示すブロック図である。実施の形態１に係る印刷システムは、印刷制御データ生成装置としてのコンピュータ１と、印刷装置としてのプリンタ２と、これらを接続するケーブル３と、を有する。なお、コンピュータ１とプリンタ２とは、無線通信により接続されていてもよい。
【００４０】
プリンタ２は、Ａ４などの単票の用紙に印刷したり、ＣＤ−Ｒ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）などの、記録媒体としてのディスク型の記録媒体（以下、単にディスクと記載する。）４に対して印刷したりする。
【００４１】
図２は、図１のプリンタ２が印刷可能な標準タイプのディスク４Ａの一例を示す図である。図３は、図１のプリンタ２が印刷可能なピクチャタイプのディスク４Ｂの一例を示す図である。
【００４２】
これらのディスク４は、円板形状に形成される透明なポリカーボネイト製の基板５１の中心に円形状のチャッキング孔５２を形成したものである。チャッキング孔５２は、図示外のディスクドライブの駆動軸が嵌め込まれる。チャッキング孔５２の周囲には、ドーナッツ形状のチャッキング領域５３が形成される。ディスク４の一方の面は、データ記録面であり、データの記憶領域５４になる。
【００４３】
印刷可能なディスク４のデータ記録面の裏側の印刷面には、インク受容層５５が形成される（図中の斜線部分）。インク受容層５５では、プリンタ２が吐出するインクが定着する。これにより、インク受容層５５に印刷が可能となる。インク受容層５５は、プリンタ２のインクが白色の用紙に対して印刷を行うものであるため、一般的に白色である。図２の標準タイプのディスク４Ａでは、このインク受容層５５が、データの記憶領域５４と略同サイズに形成される。図３のピクチャタイプのディスク４Ｂでは、インク受容層５５が、標準タイプのディスク４Ａよりチャッキング孔５２の近傍まで形成され、略全面に形成される。インク受容層５５が形成されていないチャッキング領域５３は、基板５１が露出しており、透明である。
【００４４】
図１に戻り、プリンタ２は、ディスク４に対して印刷するための印刷機構として、プリンタ２の図示外の筐体と脱着可能なディスク搬送トレイ１１と、このディスク搬送トレイ１１を送る送りローラ１２と、送りローラ１２などを回転駆動する送りモータ１３と、キャリッジ１４と、キャリッジ１４を送りローラ１２の軸方向に沿って往復運動させるキャリッジモータ１５と、を有する。
【００４５】
図４は、図１のディスク搬送トレイ１１を示す正面図である。ディスク搬送トレイ１１は、たとえばＡ４サイズなどの四角形に形成されたトレイ本体６１を有する。トレイ本体６１は、反射率が低いたとえば黒色の材料にて形成される。トレイ本体６１の上面中央部には、ドーナッツ形状の凹部６２が形成される。ドーナッツ形状の凹部６２の外周は、ディスク４の外周より一回り大きく形成される。ドーナッツ形状の凹部６２の中心には、嵌合凸部６３が形成される。嵌合凸部６３には、その反射率が所定の高い反射率となるようにたとえば銀色の反射部材が貼着されている。また、嵌合凸部６３は、プリンタ２により印刷可能なディスク４の後述するチャッキング孔５２が嵌合する所定のサイズの円柱形状に形成される。ディスク４のチャッキング孔５２にこの嵌合凸部６３が嵌合することで、ディスク４は、ディスク搬送トレイ１１に固定される。このディスク搬送トレイ１１がプリンタ２に装着されることで、ディスク４は、プリンタ２にセットされる。
【００４６】
図１に戻り、キャリッジ１４は、イエロー、マゼンタ、シアンなどといった所定の複数の色のインクを収容する、インクカートリッジとしてのカラーインクカートリッジ１６と、ブラックインクを収容するインクカートリッジとしてのブラックインクカートリッジ１７と、が脱着可能に取り付けられる。キャリッジ１４の図示せぬプラテン側の部位には、図示外のインク吐出用ヘッドが形成される。インク吐出用ヘッドには、図示外の多数のインクジェットノズルが開設される。各インクジェットノズルの内側には、図示外のピエゾ素子が配設される。ピエゾ素子は、それに印加される電圧に応じて変形する素子である。ピエゾ素子が電圧により変形することで、その変形量に応じた量のインクがインクジェットノズルから吐出される。
【００４７】
なお、キャリッジ１４には、カラーインクカートリッジ１６の代わりに、インク色毎のカートリッジが脱着可能に取り付けられるものであってもよい。また、これらのカートリッジに収容されるインクの色は、イエロー、マゼンタ、シアン、ブラック以外の色であってもよい。このような色としては、たとえばライトイエロー、ライトマゼンタ、ライトシアン、クリアー（無色）などがある。
【００４８】
また、キャリッジ１４には、紙幅検出用の反射式光学センサ１８が設けられる。この実施の形態１では、反射式光学センサ１８は、光学センサおよび印刷範囲検出手段として機能する。反射式光学センサ１８は、図示外の発光素子および受光素子を有する。発光素子は、プラテン側へ光を発光する。受光素子は、このプラテン側に位置する紙やディスク４などによる反射光や、ディスク搬送トレイ１１による反射光を受光し、受光光量に応じたレベルのレベル信号を出力する。
【００４９】
プリンタ２は、この他にも、印刷制御データ取得手段としての通信Ｉ／Ｆ（ＩｎｔｅｒＦａｃｅ）２１と、通信バッファ２２と、印刷制御手段としての制御部２３と、操作パネル２４と、を有する。
【００５０】
プリンタ２の通信Ｉ／Ｆ２１には、ケーブル３が接続される。通信Ｉ／Ｆ２１は、ケーブル３を介してコンピュータ１から受信したデータを、取得したデータとして通信バッファ２２に保存する。通信Ｉ／Ｆ２１は、通信バッファ２２に保存されている送信データを、ケーブル３を介してコンピュータ１へ送信する。
【００５１】
制御部２３は、操作パネル２４からの入力信号や通信バッファ２２に保存された受信データを取得し、これらの信号やデータに基づいて、送りモータ１３、キャリッジモータ１５および複数のピエゾ素子へ制御信号を出力する。また、制御部２３は、反射式光学センサ１８の発光素子の発光を制御し、受光素子から出力されるレベル信号を読み取り、印刷対象のディスクの印刷範囲を検出する。
【００５２】
図５は、図１のコンピュータ１のハードウェア構成を示すブロック図である。コンピュータ１は、中央処理装置（ＣＰＵ：Ｃｅｎｔｒａｌ  Ｐｒｏｃｅｓｓｉｎｇ  Ｕｎｉｔ）７１と、ＲＡＭ（Ｒａｎｄｏｍ  Ａｃｃｅｓｓ  Ｍｅｍｏｒｙ）７２と、記憶デバイス７３と、入出力ポート７４と、これらを接続するシステムバス７５と、を有する。入出力ポート７４には、画像を表示するＣＲＴ（Ｃａｔｈｏｄｅ  Ｒａｙ  Ｔｕｂｅ）などのモニタ３１と、キーボード３２と、通信Ｉ／Ｆ３３と、が接続される。
【００５３】
コンピュータ１の通信Ｉ／Ｆ３３には、ケーブル３が接続される。通信Ｉ／Ｆ３３は、ケーブル３を介してプリンタ２の通信Ｉ／Ｆ２１との間で通信データを送受する。
【００５４】
記憶デバイス７３は、たとえばフラッシュメモリ、ＨＤＤ（Ｈａｒｄ  Ｄｉｓｋ  Ｄｒｉｖｅ）などの記憶手段であり、たとえば、複数の画像ファイル７６、印刷アプリケーションプログラム７７、プリンタドライバプログラム７８などを記憶する。なお、印刷アプリケーションプログラム７７は、コンピュータ１のＯＳ（オペレーティングシステム）上で実行されるアプリケーションプログラムの一種である。
【００５５】
なお、印刷アプリケーションプログラム７７やプリンタドライバプログラム７８は、コンピュータ１の出荷時に記憶デバイス７３に記憶されていても、コンピュータ１の出荷後に記憶デバイス７３に記憶されてもよい。これらのプログラム７７，７８をコンピュータ１の出荷後に記憶デバイス７３に記憶する場合、これらのプログラム７７，７８は、たとえばＣＤ−ＲＯＭ（Ｃｏｍｐａｃｔ  Ｄｉｓｃ  Ｒｅａｄ  Ｏｎｌｙ  Ｍｅｍｏｒｙ）などのコンピュータ１読み取り可能な記録媒体に記憶されているものをコンピュータ１が読み取ることで記憶されるようにしても、サーバに記憶されているものをたとえばインターネットなどの伝送媒体を通じてコンピュータ１がダウンロードすることで記憶されるようにしてもよい。
【００５６】
中央処理装置７１は、記憶デバイス７３に記憶されるプログラムをＲＡＭ７２に読み込んで実行する。中央処理装置７１が印刷アプリケーションプログラム７７を実行することで、図１に示すように、タイプ選択手段としての印刷アプリケーション部３６が実現される。中央処理装置７１がプリンタドライバプログラム７８を実行することで、プリンタドライバ部３７が実現される。
【００５７】
画像ファイル７６は、画像データを保持する。画像データを保持する画像ファイル７６としては、たとえば、ＥＸＩＦ（Ｅｘｃｈａｎｇｅａｂｌｅ  Ｉｍａｇｅ  Ｆｉｌｅ  Ｆｏｒｍａｔ）画像ファイルがある。ＥＸＩＦ画像ファイルは、画像データを、ＪＰＥＧ（Ｊｏｉｎｔ  Ｐｈｏｔｏｇｒａｐｈｉｃ  Ｅｘｐｅｒｔｓ  Ｇｒｏｕｐ）形式のデータとして保持する。
【００５８】
印刷アプリケーション部３６は、モニタ３１およびキーボード３２により実現されるＧＵＩ（Ｇｒａｐｈｉｃａｌ  Ｕｓｅｒ  Ｉｎｔｅｒｆａｃｅ）に従って、印刷する画像などを選択する。また、印刷アプリケーション部３６は、ユーザの操作に基づいて印刷するディスクのタイプを選択した上で、プリンタドライバ部３７に、選択した画像の印刷を指示する。
【００５９】
プリンタドライバ部３７は、印刷イメージ生成手段としての印刷イメージ生成部３８と、印刷イメージ判定部３９と、印刷イメージ修正手段としての印刷イメージ修正部４０と、印刷制御データ生成手段としての印刷制御データ生成部４１とを有し、印刷指示に基づく印刷をプリンタ２に実行させるための印刷制御データを生成する。
【００６０】
印刷イメージ生成部３８は、印刷指示に基づいて印刷イメージを生成する。印刷イメージは、用紙、ディスク４などの印刷指示において指定された媒体へ印刷する印刷イメージを示すものである。印刷イメージは、指定された媒体のタイプの印刷範囲に合わせたサイズに生成される。
【００６１】
印刷イメージ判定部３９は、印刷イメージ生成部３８により生成された印刷イメージが、プリンタ２にセットされているディスク４の印刷範囲より大きいか否かを判定する。
【００６２】
印刷イメージ修正部４０は、プリンタ２にセットされているディスク４の印刷範囲より大きい印刷イメージを、その印刷範囲のサイズの印刷イメージへ修正する。
【００６３】
印刷制御データ生成部４１は、供給された印刷イメージに基づいて、印刷制御データを生成する。印刷制御データ生成部４１は、生成した印刷制御データを、コンピュータ１の通信Ｉ／Ｆ３３へ供給する。
【００６４】
次に、実施の形態１に係る印刷システムの動作を説明する。以下の説明では、ディスク４に対して印刷する場合を例に動作を説明する。
【００６５】
図６は、印刷システムの動作を示すフローチャートである。
【００６６】
コンピュータ１の印刷アプリケーション部３６は、記憶デバイス７３に記憶されている画像ファイル７６の画像データによる画像をモニタ３１に表示させる。なお、印刷アプリケーション部３６は、たとえばコンピュータ１にデジタルスチルカメラ（ＤＳＣ）を接続し、このＤＳＣに記憶される画像ファイル７６の画像データを読み込み、モニタ３１にその画像データに基づく画像を表示させるようにしてもよい。
【００６７】
モニタ３１に画像が表示されている状態において、ユーザは、キーボード３２を操作する。キーボード３２は、ユーザ操作に応じた入力データを出力する。印刷アプリケーション部３６は、画像の選択操作の入力データに基づいて、モニタ３１に表示している画像の中から、印刷する画像を選択する（ステップＳＴ１）。
【００６８】
画像を選択した後、印刷アプリケーション部３６は、印刷条件の設定画面をモニタ３１に表示する。
【００６９】
図７は、図１のモニタ３１に表示される印刷条件の設定画面である。この印刷条件の設定画面は、選択されている媒体を表示する選択ボックス８１と、プルダウンボタン８２と、印刷開始ボタン８３と、を有する。
【００７０】
ユーザがキーボード３２などを使用してプルダウンボタン８２を操作すると、印刷アプリケーション部３６は、印刷可能な媒体のタイプのリストを、選択ボックス８１の下に表示する。図７では、Ａ４、Ｂ５、標準ディスク、ピクチャディスクの４つの媒体のタイプのリストが表示されている。標準ディスクは、図２に示すディスク４Ａである。ピクチャディスクは、図３に示すディスク４Ｂである。
【００７１】
たとえば、ユーザがその媒体リストの中からピクチャディスクを選択する（ステップＳＴ２）と、印刷アプリケーション部３６は、媒体リストの表示を止めて、図７に示すように、選択ボックス８１に選択された媒体名「ピクチャディスク」を表示する。
【００７２】
選択ボックス８１に所望のタイプの媒体名が表示されている状態で、ユーザが印刷開始ボタン８３を操作すると、キーボード３２からの入力データに基づいて、印刷アプリケーション部３６は、選択した画像を選択した媒体に印刷する印刷指示を、プリンタドライバ部３７へ供給する（ステップＳＴ３）。
【００７３】
印刷指示が供給されると、プリンタドライバ部３７では、印刷イメージ生成部３８が印刷イメージを生成する（ステップＳＴ４）。印刷イメージ生成部３８は、まず、媒体リストの中から印刷アプリケーション部３６により選択された媒体のタイプに応じた印刷範囲の形状およびサイズを特定し、その印刷範囲に一致する形状およびサイズの印刷イメージのデータを生成する。
【００７４】
印刷アプリケーション部３６により「ピクチャディスク」が選択された場合、印刷イメージ生成部３８は、その「ピクチャディスク」と予め対応付けられている図３のディスク４Ｂの印刷範囲の情報に基づいて印刷範囲の形状およびサイズを特定し、その印刷範囲に一致する形状およびサイズの印刷イメージを生成する。
【００７５】
印刷アプリケーション部３６により「標準ディスク」が選択された場合、印刷イメージ生成部３８は、その「標準ディスク」と予め対応付けられている図２のディスク４Ａの印刷範囲の情報に基づいて印刷範囲の形状およびサイズを特定し、その印刷範囲に一致する形状およびサイズの印刷イメージを生成する。
【００７６】
印刷イメージ生成部３８は、生成した印刷イメージを印刷イメージ判定部３９へ供給する。印刷イメージ判定部３９は、供給された印刷イメージが、プリンタ２にセットされているディスク４の印刷範囲より大きいか否かを判定する。
【００７７】
具体的には、印刷イメージ判定部３９は、まず、コンピュータ１の通信Ｉ／Ｆ３３に、プリンタ２にセットされているディスク４の印刷範囲の検出指示を供給する（ステップＳＴ５）。コンピュータ１の通信Ｉ／Ｆ３３は、供給されたその指示を、ケーブル３を介してプリンタ２の通信Ｉ／Ｆ２１へ送信する。プリンタ２の通信Ｉ／Ｆ２１は、受信したその印刷範囲の検出指示を通信バッファ２２に保存する。
【００７８】
プリンタ２の制御部２３は、通信バッファ２２に保存された受信データを読み込む。プリンタ２にセットされているディスク４の印刷範囲の検出指示を読み込むと、制御部２３は、印刷範囲の検出処理を開始する（ステップＳＴ６）。
【００７９】
印刷範囲の検出処理において、プリンタ２の制御部２３は、まず、プリンタ２にディスク搬送トレイ１１が装着されていることを確認した上で、キャリッジモータ１５を駆動し、キャリッジ１４の反射式光学センサ１８をディスク搬送トレイ１１の略中央部（図１の一点鎖線）より若干ずれた所定の位置（図１を参照）に配置する。
【００８０】
次に、制御部２３は、送りローラ１２を回転駆動させつつ、反射式光学センサ１８の受光素子の出力レベルを蓄積する。受光素子は、ディスク搬送トレイ１１およびディスク４を、図１の一点鎖線に沿った方向で走査する。少なくともディスク搬送トレイ１１のドーナッツ形状の凹部６２に相当する範囲についての出力レベルを蓄積し終えたら、制御部２３は、その蓄積した出力レベルに基づいて、プリンタ２にセットされているディスク４の中心位置を特定し、また、プリンタ２にセットされているディスク４のインク受容層５５の内径および外径を演算する。
【００８１】
ディスク搬送トレイ１１の嵌合凸部６３からの反射光の受光レベルは、銀色の反射部材の反射率に応じて、所定の略一定のレベルになる。キャリッジ１４の反射式光学センサ１８がディスク搬送トレイ１１の略中央部（図１の一点鎖線）より若干ずれた所定の位置に配置されている場合、この蓄積した出力レベルのデータ中の、その所定のレベルのデータ量は、嵌合凸部６３の直径に相当するデータ量より少ない。受光素子の走査位置がディスク搬送トレイ１１の略中央部（図１の一点鎖線）から離れるほど、その所定のレベルのデータ量は、少なくなる。
【００８２】
制御部２３は、蓄積した出力レベルのデータ中の、その所定のレベルのデータ量に基づいて、検出した嵌合凸部６３の長さ（走査位置での長さ）を特定する。制御部２３は、既知の嵌合凸部６３の直径と、特定した嵌合凸部６３の長さとを比較し、その比較結果に基づいてキャリッジ１４の走査方向における嵌合凸部６３の中心位置を特定する。制御部２３は、また、所定のレベルの中心位置を、ディスク搬送トレイ１１の搬送方向における嵌合凸部６３の中心位置として特定する。これにより、プリンタ２にセットされた嵌合凸部６３の中心位置、すなわちディスク４の中心位置が特定される。
【００８３】
蓄積した出力レベルにおいて、ディスク搬送トレイ１１のトレイ本体６１からの反射光の受光レベルは、所定の低いレベルになる。印刷可能な標準タイプのディスク４Ａにおいてチャッキング領域５３は、透明であり、その透明なチャッキング領域５３における受光レベルは、トレイ本体６１における受光レベルと略同じになる。
【００８４】
制御部２３は、蓄積した出力レベルにおいて、そのトレイ本体６１による反射レベルでもなく、且つ、嵌合凸部６３による反射レベルでもないデータの範囲を特定する。このデータの範囲は、受光素子が、ディスク４の不透明な部分による反射光を受光した範囲となる。そして、制御部２３は、その特定した範囲の両端の中、嵌合凸部６３側の端部のデータ位置を、ディスク４のインク受容層５５の内径位置とし、他端のデータ位置を、ディスク４のインク受容層５５の外径位置であるとして、先に演算したディスク４の中心位置（嵌合凸部６３の中心位置）を基準として、ディスク４のインク受容層５５の内径および外径を計算する。
【００８５】
ディスク４のインク受容層５５の内径および外径を計算すると、制御部２３は、その計算した内径および外径を、ディスク４の検出された印刷範囲の情報として、通信バッファ２２に保存する。プリンタ２の通信Ｉ／Ｆ２１は、通信バッファ２２に書き込まれた印刷範囲の情報を、ケーブル３を介してコンピュータ１の通信Ｉ／Ｆ３３へ送信する。コンピュータ１の通信Ｉ／Ｆ３３は、受信したその印刷範囲の情報を、印刷イメージ判定部３９に供給する（ステップＳＴ７）。
【００８６】
なお、制御部２３は、反射式光学センサ１８の受光素子の検出レベルによる、ディスク４のチャッキング領域５３が透明であるか否かの判定に基づいて、装着されたディスク４のタイプを判断し、そのタイプの判断に基づく印刷範囲の情報を通信バッファ２２に保存するようにしてもよい。具体的には、制御部２３は、ディスク４のチャッキング領域５３が透明である場合に、標準タイプのディスク４Ａの印刷範囲の情報を通信バッファ２２に保存し、ディスク４のチャッキング領域５３が不透明である場合に、ピクチャタイプのディスク４Ｂの印刷範囲の情報を通信バッファ２２に保存すればよい。さらに、制御部２３は、特定したディスク４のタイプの情報そのものを通信バッファ２２に保存するようにしてもよい。
【００８７】
プリンタ２にセットされたディスク４の印刷範囲の情報が供給されると、印刷イメージ判定部３９は、印刷イメージ生成部３８により生成された印刷イメージのサイズと、その受信した印刷範囲の情報とを比較し、印刷イメージが、そのプリンタ２にセットされているディスク４の印刷範囲より大きいか否かを判定する（ステップＳＴ８）。
【００８８】
プリンタ２にセットされたディスク４の印刷範囲が、印刷アプリケーション部３６により選択されたディスク４の印刷範囲より大きい場合、印刷イメージ判定部３９は、印刷イメージ生成部３８により生成された印刷イメージのデータを、印刷制御データ生成部４１に供給する。
【００８９】
印刷制御データ生成部４１は、印刷イメージのデータが供給されると、印刷制御データの生成処理を開始する（ステップＳＴ９）。印刷制御データ生成部４１は、供給された印刷イメージの色成分を、プリンタ２が印刷可能なインク色成分へ変換する色変換処理と、各インク色のイメージを、印刷するドット単位の印刷有無データへ変換するハーフトーン処理と、ドット単位の印刷有無データを、プリンタ２が印刷する順番に並べ替えるインターレース処理とを実行し、印刷制御データを生成する。印刷制御データ生成部４１は、生成した印刷制御データを、コンピュータ１の通信Ｉ／Ｆ３３へ供給する。
【００９０】
コンピュータ１の通信Ｉ／Ｆ３３は、供給された印刷制御データを、ケーブル３を介して、プリンタ２の通信Ｉ／Ｆ２１へ送信する（ステップＳＴ１０）。プリンタ２の通信Ｉ／Ｆ２１は、受信した印刷制御データを通信バッファ２２に保存する。
【００９１】
通信バッファ２２に印刷制御データが保存されると、プリンタ２の制御部２３は、この保存されている印刷制御データを読み込み、印刷制御データに基づく印刷処理を開始する。制御部２３は、まず、ステップＳＴ６において特定したディスク４の中心位置の情報に基づいて、送りローラ１２を駆動してプリンタ２にセットされているディスク搬送トレイ１１を搬送し、ディスク４を印刷開始位置に位置決めする（ステップＳＴ１１）。
【００９２】
その後、制御部２３は、印刷制御データに基づく印刷処理を開始する（ステップＳＴ１２）。この印刷処理により、インク受容層５５には、印刷イメージに従ってインクが付着し、定着する。
【００９３】
これにより、ディスク４には、印刷イメージが形成される。図３に示すピクチャタイプのディスク４Ｂの場合には、図３に示すインク受容層５５に、印刷イメージに基づく画像が印刷される。
【００９４】
これに対して、プリンタ２には標準タイプのディスク４Ａがセットされ、且つ、印刷イメージ生成部３８によりピクチャタイプのディスク４Ｂが選択されている場合、印刷イメージ判定部３９は、ステップＳＴ８の印刷イメージと印刷範囲との比較判断において、印刷イメージが、そのプリンタ２にセットされているディスク４の印刷範囲より大きいと判断する。印刷イメージ判定部３９は、印刷イメージ生成部３８により生成された印刷イメージのデータを印刷イメージ修正部４０へ供給する。
【００９５】
印刷イメージ修正部４０は、その印刷イメージを、標準タイプの印刷範囲のサイズの印刷イメージへ修正する（ステップＳＴ１３）。印刷イメージ修正部４０は、具体的には、印刷イメージから、検出された印刷範囲の内径より内側となるデータ部分を削除し、また、検出された印刷範囲の外径より外側となるデータ部分を削除する。これにより、印刷イメージのサイズは、プリンタ２にセットされているディスク４の印刷範囲に一致する。
【００９６】
印刷イメージ修正部４０は、印刷イメージの一部を削除した後、その削除後の印刷イメージを、修正した印刷イメージのデータとして、印刷制御データ生成部４１へ供給する。
【００９７】
印刷制御データ生成部４１は、印刷イメージ修正部４０から提供された印刷イメージを印刷する印刷制御データを生成し（ステップＳＴ９）、通信Ｉ／Ｆ３３へ提供する。コンピュータ１の通信Ｉ／Ｆ３３は、印刷制御データを、プリンタ２の通信Ｉ／Ｆ２１へ送信する（ステップＳＴ１０）。プリンタ２の制御部２３は、ディスク４の位置決め処理（ステップＳＴ１１）をした後、この受信した印刷制御データに基づいて印刷を実行する（ステップＳＴ１２）。なお、印刷制御データ生成部４１、プリンタ２の制御部２３などの詳しい動作は、印刷イメージ判定部３９から印刷制御データ生成部４１へ印刷イメージが提供された場合と同様であり、その説明を省略する。
【００９８】
これにより、プリンタ２にセットされている標準タイプのディスク４Ａには、ユーザの設定に拘らず、そのディスク４の印刷範囲に一致する印刷イメージに基づく画像が形成される。
【００９９】
なお、プリンタ２にはピクチャタイプのディスク４Ｂがセットされ、且つ、印刷アプリケーション部３６が標準タイプのディスク４Ａを選択した場合、印刷イメージ生成部３８は、プリンタ２にセットされたピクチャタイプのディスク４Ｂの印刷範囲より小さい印刷イメージを生成する。この場合、印刷イメージ判定部３９は、ステップＳＴ８の印刷イメージと印刷範囲との比較判断において、印刷イメージが、そのプリンタ２にセットされているディスク４の印刷範囲より大きくないと判断し、印刷イメージ生成部３８により生成された印刷イメージを印刷制御データ生成部４１へ供給する。
【０１００】
この場合、印刷イメージ生成部３８により生成された印刷イメージに基づいて、プリンタ２にセットされたピクチャタイプのディスク４Ｂには、その印刷範囲の一部に、画像が印刷される。したがって、ディスク４に付着するインクはすべて、インク受容層５５に定着する。
【０１０１】
以上のように、この実施の形態１の印刷システムでは、プリンタ２に装着されたディスク４の印刷範囲を検出し、印刷イメージ生成部３８により生成された印刷イメージのサイズがその検出された印刷範囲より大きい場合、その印刷イメージは、検出された印刷範囲となるように修正された上でプリンタ２により印刷される。
【０１０２】
したがって、プリンタ２に標準タイプのディスク４Ａが装着されている場合において、印刷アプリケーション部３６がユーザの選択に基づいてピクチャタイプのディスク４Ｂ用の印刷イメージを生成したとしても、そのプリンタ２に装着された標準タイプのディスク４Ａに対する印刷は、印刷範囲内に対して実行される。ディスク４に付着したインクは、インク受容層５５に定着する。
【０１０３】
特に、印刷イメージ修正部４０は、キャリッジ１４に設けられた反射式光学センサ１８の印刷範囲の読み取りに基づいて制御部２３により生成された印刷範囲に収まるように、印刷イメージ生成部３８により生成された印刷イメージを修正する。
【０１０４】
その結果、プリンタ２においてキャリッジから吐出されるインクは、ディスク４のインク受容層５５に定着するため、インク受容層５５以外へのインク吐出に起因する、標準タイプのディスク４Ａのインク汚染、ディスク搬送トレイ１１のインク汚染、プリンタ２の内部のインク汚染などは、防止される。
【０１０５】
なお、この実施の形態１では、印刷イメージ判定部３９は、印刷イメージ生成部３８により生成された印刷イメージのサイズが、プリンタ２にセットされたディスク４の印刷範囲より大きい場合に、直ちに、その印刷イメージを印刷イメージ修正部４０に供給しているが、その代わりに、以下のようにしてもよい。図８は、印刷システムの他の動作を示すフローチャートである。図８において、印刷イメージ判定部３９は、ステップＳＴ８において印刷イメージ生成部３８により生成された印刷イメージのサイズがプリンタ２にセットされたディスク４の印刷範囲より大きいと判断した場合に、モニタ３１に、その旨の警告を表示させる（ステップＳＴ２１）。その後、警告が承認される（ステップＳＴ２２）と、印刷イメージ判定部３９は、プリンタドライバ部３７に供給された印刷イメージを印刷イメージ修正部４０へ供給し、印刷イメージ修正部４０にその印刷イメージを修正させる（ステップＳＴ１３）。警告が承認されない場合、印刷イメージ判定部３９は、印刷を中止する（ステップＳＴ２３）。これにより、印刷に先立って事前に警告をするので、ユーザが意図しない標準タイプのディスク型記録媒体への印刷を防止することができる。
【０１０６】
あるいは、次のようにしてもよい。図９は、印刷システムの更に他の動作を示すフローチャートである。図９において、印刷イメージ判定部３９は、ステップＳＴ８において印刷イメージ生成部３８により生成された印刷イメージのサイズがプリンタ２にセットされたディスク４の印刷範囲より大きいと判断した場合に、直ちに印刷を中止する（ステップＳＴ２１）。
【０１０７】
また、この実施の形態１では、プリンタ２の制御部２３は、印刷制御データを受信してから、ステップＳＴ１１としてディスク４の位置決め処理をしている。この他にもたとえば、制御部２３は、プリンタ２にセットされたディスク４の印刷範囲の検出処理（ステップＳＴ６）の後に、その印刷範囲の検出処理にて特定したディスク４の中心位置の情報を用いて、ディスク４を印刷開始位置に位置決めするようにしてもよい。この場合、制御部２３は、ステップＳＴ１０において印刷制御データを受信したら、印刷開始位置への位置決め処理をすることなく直ちに、ステップＳＴ１２の印刷処理を開始することができる。
【０１０８】
また、この実施の形態１では、印刷イメージ判定部３９は、ステップＳＴ８において、印刷イメージ生成部３８により生成された印刷イメージが、プリンタ２にセットされているディスク４の印刷範囲より大きいか否かを判断している。この他にもたとえば、印刷イメージ判定部３９は、印刷イメージ生成部３８により生成された印刷イメージが、プリンタ２にセットされているディスク４の印刷範囲と一致しているか否かを判断するようにしてもよい。この変形例の場合、印刷イメージ判定部３９は、たとえば、一致と判断したときのみに、印刷制御データ生成部４１へ印刷イメージを供給し、その他の場合には、印刷イメージ修正部４０に印刷イメージを供給し、印刷イメージ修正部４０により印刷イメージのサイズを、プリンタ２にセットされているディスク４の印刷範囲に一致させるように修正させればよい。
【０１０９】
実施の形態２．
本発明の実施の形態２に係る印刷システムは、ディスクに付されているマークに基づいて印刷範囲を特定するようにしたものである。
【０１１０】
図１０は、本発明の実施の形態２に係る印刷システムを示すブロック図である。実施の形態２では、プリンタ２の制御部９１によるディスクの印刷範囲の検出処理が、本発明の実施の形態１とは異なる。制御部９１は、印刷制御手段として機能する。これ以外の構成要素は、実施の形態１の同名の構成要素と同じ機能を有するものであり、実施の形態１と同一の符号を付して説明を省略する。
【０１１１】
図１１は、印刷可能な標準タイプのディスク４Ａの一例を示す図である。図１２は、印刷可能なピクチャタイプのディスク４Ｂの一例を示す図である。
【０１１２】
図１１のディスク４Ａおよび図１２のディスク４Ｂには、チャッキング孔５２からインク受容層５５までの間の透明な部位に、印刷対象のディスク型記録媒体に記録されたマークとしての２つの円環マーク１０１，１０２が形成される。円環マーク１０１，１０２は、トレイ１１とは異なる反射率の色を有する。２つの円環マーク１０１，１０２は、チャッキング孔５２と略同心に形成される。円環マーク１０１，１０２は、たとえばインク受容層５５と同様の印刷処理などによりディスク４に形成すればよい。
【０１１３】
２つの円環マーク１０１，１０２は、ディスク４のタイプに応じた位置（半径）で形成される。図１２のディスク４Ｂの内側の円環マーク１０１は、図１１のディスク４Ａの内側の円環マーク１０１より小さい。外側の円環マーク１０２は、同じ大きさである。
【０１１４】
次に、実施の形態２に係る印刷システムの動作を説明する。以下の説明では、ディスク４に対して印刷する場合を例に動作を説明する。
【０１１５】
コンピュータ１の印刷アプリケーション部３６が、選択したディスクへ選択した画像を印刷する印刷指示を、プリンタドライバ部３７へ供給すると、プリンタドライバ部３７の印刷イメージ生成部３８は、その印刷アプリケーション部３６により選択されたディスクの印刷領域のサイズの印刷イメージを生成する。印刷イメージ判定部３９は、この印刷イメージ生成部３８により生成された印刷イメージが、プリンタ２にセットされているディスク４の印刷範囲より大きいか否かを判定する。
【０１１６】
具体的には、印刷イメージ判定部３９は、プリンタ２にセットされているディスク４の印刷範囲の検出指示を、コンピュータ１の通信Ｉ／Ｆ３３へ供給する。この検出指示は、ケーブル３、プリンタ２の通信Ｉ／Ｆ２１および通信バッファ２２を介して、プリンタの制御部９１へ送信される。
【０１１７】
プリンタ２の制御部９１は、この検出指示に基づいて、プリンタ２にセットされているディスク４の印刷範囲の検出処理を開始する。まず、制御部９１は、実施の形態１の制御部２３と同様にしてディスク４の中心位置を特定する。
【０１１８】
次に、制御部９１は、反射式光学センサ１８を、その特定したディスク４の中心位置と対向するように配置する。その後、制御部９１は、キャリッジをディスク４の径方向へ移動させつつ、反射式光学センサ１８の受光素子の出力レベルを蓄積する。ディスク４のチャッキング領域に相当する範囲の出力レベルを蓄積したら、制御部９１は、その蓄積した出力レベルに基づいて、プリンタ２にセットされているディスク４のタイプを特定する。
【０１１９】
この実施の形態２においてプリンタ２にセットするディスク４における２つの円環マーク１０１，１０２は、図１１あるいは図１２に示すように、ディスク４のタイプに応じた位置（半径）で形成されている。
【０１２０】
制御部９１は、蓄積した出力レベルにおいて、その２つの円環マーク１０１，１０２の反射率に対応する検出レベルとなっている２つのデータの位置を特定し、その特定した位置に基づいて、ディスク４のタイプを特定する。
【０１２１】
ディスク４のタイプを特定したら、制御部９１は、特定したタイプに応じた印刷範囲の内径および外径の情報を通信バッファ２２に保存する。この内径および外径の情報は、プリンタ２の通信Ｉ／Ｆ２１、ケーブル３およびコンピュータ１の通信Ｉ／Ｆ３３を介して、印刷イメージ判定部３９へ送信される。
【０１２２】
印刷イメージ判定部３９は、印刷イメージ生成部３８により生成された印刷イメージのサイズと、その受信した印刷範囲の情報とを比較し、印刷イメージが、そのプリンタ２にセットされているディスク４の印刷範囲より大きいか否かを判定する。
【０１２３】
そして、印刷イメージがプリンタ２にセットされているディスク４の印刷範囲より大きい場合、印刷イメージ判定部３９は、その印刷イメージを印刷イメージ修正部４０に供給する。印刷イメージ修正部４０は、供給された印刷イメージから、検出したディスク４の印刷範囲からはみ出す部分をカットし、その修正後の印刷イメージのデータを印刷制御データ生成部４１へ供給する。
【０１２４】
また、印刷イメージがプリンタ２にセットされているディスク４の印刷範囲より大きくない場合、印刷イメージ判定部３９は、その印刷イメージのデータを印刷制御データ生成部４１へ供給する。
【０１２５】
印刷制御データ生成部４１は、供給された印刷イメージのデータに基づいて印刷制御データを生成し、プリンタ２の制御部９１へ送信する。制御部９１は、プリンタ２にセットされているディスク４を印刷開始位置に位置決めし、印刷制御データに基づいて印刷処理を実行する。
【０１２６】
以上の処理により、ディスク４には、印刷イメージに基づく画像が形成される。印刷アプリケーション部３６において選択したディスクと、プリンタ２にセットされたディスク４とが一致する場合、そのディスク４には、印刷イメージ生成部３８により生成された印刷イメージが印刷される。
【０１２７】
一方、印刷アプリケーション部３６においてピクチャタイプのディスク４Ｂを選択し、且つ、プリンタ２に標準タイプのディスク４Ａをセットした場合、そのディスク４Ａには、印刷イメージ生成部３８により生成された印刷イメージから、そのディスクの印刷範囲からはみ出す部分をカットして印刷される。
【０１２８】
特に、印刷イメージ修正部４０は、キャリッジ１４に設けられた反射式光学センサ１８によるディスク４に予め記録された円環マーク１０１，１０２の読み取り基づいて制御部９１により特定されたタイプの印刷範囲に収まるように、印刷イメージ生成部３８により生成された印刷イメージを修正する。
【０１２９】
その結果、ディスク４に付着したインクは、インク受容層５５に定着し、インク受容層５５以外へのインクの吐出に起因する、標準タイプのディスク４Ａのインク汚染、ディスク搬送トレイ１１のインク汚染、プリンタ２の内部のインク汚染などは、防止される。
【０１３０】
なお、この実施の形態２では、ディスク４の透明な部位に形成された２つの円環マーク１０１，１０２の位置（半径）を検出し、その２つの円環マーク１０１，１０２の位置（半径）に基づいてディスク４のタイプを特定し、特定したタイプに応じた内径および外径の情報を生成している。この他にもたとえば、ディスク４のタイプの情報をバーコードや二次元コードなどの機械的に読み取り可能なコードのパターンのマークにコード化し、このパターンを検出してデコードすることによりディスク４のタイプを特定するようにしてもよい。また、円環マークを使用することで、ディスク搬送トレイ１１にセットされたときのディスク４の向きに拘らず、制御部９１は、ディスク４の中心位置などからディスク４を走査することで確実にそのマークを検出することができる。また、円環マークを印刷などにより形成した場合に、その印刷に使用したインクなどによるディスク４の重量アンバランスが発生し難くなる。
【０１３１】
なお、この実施の形態２では、上述のように、マークからディスク４のタイプを判定しているが、その代わりに、印刷範囲の内径および／または外径の情報を含む一次元または二次元コードといったマークをディスク４に付し、そのマークから直接的に内径と外径を特定するようにしてもよい。
【０１３２】
実施の形態３．
本発明の実施の形態３に係る印刷システムは、複合機の一種である。
【０１３３】
図１３は、本発明の実施の形態３に係る印刷システムを示すブロック図である。複合機１１１は、操作パネル１１２と、液晶モニタなどによる小型モニタ１１３と、画像を読み取るスキャナ１１４と、タイプ選択手段としての印刷指示部１１５と、画像処理部１１６と、プリンタ部１１７と、を有し、コンピュータなどに接続しなくとも、それ単体で印刷やコピーが可能な装置である。
【０１３４】
印刷指示部１１５は、操作パネル１１２の操作に基づいて、スキャナ１１４を動作させ、スキャナ１１４に画像を読み取らせる。印刷指示部１１５は、また、複合機１１１が印刷可能な媒体のリストを小型モニタ１１３に表示させ、操作パネル１１２の操作に基づいて印刷する媒体のタイプを選択する。印刷指示部１１５は、選択した画像を選択した印刷条件で印刷するための印刷指示を画像処理部へ供給する。
【０１３５】
画像処理部１１６は、印刷イメージ生成部３８、印刷イメージ判定部３９、印刷イメージ修正部４０および印刷制御データ生成部４１を有し、印刷指示に基づく印刷をプリンタ部１１７に実行させるための印刷制御データを生成する。
【０１３６】
プリンタ部１１７は、ディスク４に対して印刷するための印刷機構として、複合機１１１の図示外の筐体と脱着可能なディスク搬送トレイ１１と、このディスク搬送トレイ１１を送る送りローラ１２と、送りローラ１２などを回転駆動する送りモータ１３と、キャリッジ１４と、キャリッジ１４を送りローラ１２の軸方向に沿って往復運動させるキャリッジモータ１５と、を有する。キャリッジ１４には、反射式光学センサ１８が設けられる。
【０１３７】
プリンタ部１１７は、この他にも、データバッファ１１８と、制御部２３と、を有する。データバッファ１１８は、プリンタ部１１７に供給される印刷制御データを記憶する。
【０１３８】
この実施の形態３の印刷システムにおいて、上述した構成以外の構成要素は、実施の形態１の同名の構成要素と同じ機能を有するものであり、実施の形態１と同一の符号を付してその説明を省略する。
【０１３９】
次に、実施の形態３に係る印刷システムの動作を説明する。以下の説明では、ディスク４に対して印刷する場合を例に動作を説明する。
【０１４０】
印刷指示部１１５は、操作パネル１１２の操作に基づいて、スキャナ１１４に読み取りを指示する。スキャナ１１４は、それにセットされた画像を読み取り、その画像データを印刷指示部１１５へ供給する。
【０１４１】
また、印刷指示部１１５は、複合機１１１が印刷可能な媒体のリストを小型モニタ１１３に表示させる。媒体として、たとえばピクチャタイプのディスク４Ｂの一種の呼称である「ピクチャディスク」が表示されている状態で、選択を意味する入力データが操作パネルから供給されると、印刷指示部１１５は、その「ピクチャディスク」に対応するディスク４Ｂを、印刷するディスク４として選択する。
【０１４２】
印刷指示部１１５は、スキャナ１１４に画像を読み取らせ、且つ、印刷する媒体を選択すると、選択した画像を選択した印刷条件で印刷するための印刷指示を画像処理部１１６へ供給する。
【０１４３】
画像処理部１１６では、まず、印刷イメージ生成部３８が、その印刷アプリケーション部３６により選択されたディスクの印刷領域のサイズの印刷イメージを生成する。印刷イメージ生成部３８により印刷イメージが生成されると、印刷イメージ判定部３９は、プリンタ部１１７にセットされているディスク４の印刷範囲より大きいか否かを判定する。
【０１４４】
具体的には、印刷イメージ判定部３９は、プリンタ部１１７にセットされているディスク４の印刷範囲の検出指示を、プリンタ部１１７の制御部２３に提供する。制御部２３は、この検出指示に基づいて、プリンタ部１１７にセットされているディスク４の印刷範囲の検出処理を開始する。
【０１４５】
制御部２３は、実施の形態１と同様にして、中心位置を特定し、プリンタ部１１７にセットされているディスク４のインク受容層５５の内径および外径を演算する。制御部２３は、演算したインク受容層５５の内径および外径を、ディスク４の検出された印刷範囲の情報として、印刷イメージ判定部３９に供給する。
【０１４６】
印刷イメージ判定部３９は、印刷イメージ生成部３８により生成された印刷イメージのサイズと、その検出した印刷範囲の情報とを比較し、印刷イメージが、そのプリンタ部１１７にセットされているディスク４の印刷範囲より大きいか否かを判定する。
【０１４７】
そして、印刷イメージがプリンタ部１１７にセットされているディスク４の印刷範囲より大きい場合、印刷イメージ判定部３９は、その印刷イメージのデータを印刷イメージ修正部４０に供給する。印刷イメージ修正部４０は、供給された印刷イメージのデータから、検出したディスク４の印刷範囲からはみ出す部分をカットし、その修正後の印刷イメージのデータを印刷制御データ生成部４１へ供給する。
【０１４８】
また、印刷イメージがプリンタ部１１７にセットされているディスク４の印刷範囲より大きくない場合、印刷イメージ判定部３９は、その印刷イメージのデータを印刷制御データ生成部４１へ供給する。
【０１４９】
印刷制御データ生成部４１は、供給された印刷イメージのデータに基づいて印刷制御データを生成し、プリンタ部１１７のデータバッファ１１８に記憶させる。プリンタの制御部２３は、プリンタ部１１７にセットされているディスク４を印刷開始位置に位置決めし、データバッファ１１８に記憶されている印刷制御データに基づいて印刷処理を実行する。
【０１５０】
以上の処理により、ディスク４には、スキャナ１１４にて読み取った画像が形成される。印刷指示部１１５が選択したディスクと、プリンタ部１１７にセットされたディスク４とが一致する場合、そのディスク４には、印刷イメージ生成部３８により生成された印刷イメージが印刷される。
【０１５１】
一方、印刷指示部１１５がピクチャタイプのディスク４Ｂを選択し、且つ、プリンタ部１１７に標準タイプのディスク４Ａがセットされている場合、そのディスク４Ａには、印刷イメージ生成部３８により生成された印刷イメージからそのディスクの印刷範囲からはみ出す部分がカットされて印刷される。
【０１５２】
したがって、ディスク４に付着したインクは、インク受容層５５に定着し、インク受容層５５以外へのインクの吐出に起因する、標準タイプのディスク４Ａのインク汚染、ディスク搬送トレイ１１のインク汚染、プリンタ部１１７の内部のインク汚染などは、防止される。
【０１５３】
なお、この実施の形態３では、プリンタ部１１７にセットされたディスク４から、そのディスク４の印刷範囲を検出している。この他にもたとえば、プリンタ部１１７にセットされるディスク４の表面を複合機１１１のスキャナ１１４で読み取り、この読み取りに基づいてディスク４の印刷範囲を検出するようにしてもよい。
【０１５４】
また、この実施の形態３では、複合機１１１のスキャナ１１４で読み取った画像を、プリンタ部１１７においてディスク４に印刷している。この他にもたとえば、複合機１１１の図示外の半導体メモリリーダに挿入された半導体メモリに記憶されている画像データに基づく画像を、プリンタ部１１７においてディスク４に印刷するようにしてもよい。
【０１５５】
実施の形態４．
本発明の実施の形態４に係る印刷システムは、印刷イメージの一部を削除する場合に、プリンタ２においてそれを行うようにしたものである。
【０１５６】
図１４は、本発明の実施の形態４に係る印刷システムを示すブロック図である。実施の形態４に係る印刷システムでは、実施の形態１とは、プリンタ２の制御部１２１の動作が異なる。制御部１２１は、印刷制御手段として機能する。制御部１２１は、印刷制御データを取得すると、装着されたディスク４の印刷範囲を特定し、その印刷範囲に応じた印刷処理を実行する。また、コンピュータ１の印刷制御データ生成部４１は、印刷イメージ生成部３８が生成した印刷イメージに基づいて印刷制御データを生成する。
【０１５７】
これ以外の構成要素は、実施の形態１の同名の構成要素と同じ機能を有するものであり、実施の形態１と同一の符号を付して説明を省略する。
【０１５８】
次に、実施の形態４に係る印刷システムの動作を説明する。以下の説明では、ディスク４に対して印刷する場合を例に動作を説明する。
【０１５９】
コンピュータ１の印刷アプリケーション部３６が、選択した画像を選択したディスクに印刷する印刷指示をプリンタドライバ部３７へ供給すると、プリンタドライバ部３７の印刷イメージ生成部３８は、その印刷アプリケーション部３６により選択されたディスクの印刷領域のサイズの印刷イメージのデータを生成し、印刷制御データ生成部４１へ供給する。印刷制御データ生成部４１は、供給された印刷イメージのデータに基づいて印刷制御データを生成し、プリンタ２の制御部１２１へ送信する。
【０１６０】
プリンタ２の制御部１２１は、印刷制御データを取得すると、まず、装着されているディスク４の中心位置検出処理と、印刷範囲を特定処理とを実行する。制御部１２１は、反射式光学センサ１８を用いて装着されているディスク４を読み取り、その読み取りに基づいて、装着されているディスク４の中心位置と印刷範囲とを特定する。なお、この中心位置および印刷範囲の特定方法は、実施の形態１のようにディスク４の印刷面の読み取りに基づく方法であっても、実施の形態２のようにディスク４のマークの読み取りに基づく方法であってもよい。
【０１６１】
装着されているディスク４の中心位置と印刷範囲を特定したら、制御部１２１は、次に、その特定した印刷範囲と、取得した印刷制御データに基づく印刷イメージによる印刷範囲とを比較する。そして、これらが一致している場合には、制御部１２１は、特定した中心位置に基づいて、プリンタ２にセットされているディスク４を印刷開始位置に位置決めし、取得した印刷制御データに基づいて印刷処理を実行する。
【０１６２】
装着されているディスク４の印刷範囲が、取得した印刷制御データに基づく印刷イメージによる印刷範囲より小さい場合、制御部１２１は、特定した中心位置に基づいて、プリンタ２にセットされているディスク４を印刷開始位置に位置決めした後、装着されているディスク４の印刷範囲のみに対して印刷をするためのデータマスクパターンを使用して、取得した印刷制御データの一部を削除しつつ印刷処理を実行する。
【０１６３】
なお、プリンタ２にはピクチャタイプのディスク４Ｂがセットされ、且つ、印刷アプリケーション部３６が標準タイプのディスク４Ａを選択した場合、印刷イメージ生成部３８は、プリンタ２にセットされたピクチャタイプのディスク４Ｂの印刷範囲より小さい印刷イメージを生成する。この場合、制御部１２１は、たとえば、それらが一致している場合と同様に、特定した中心位置に基づいてプリンタ２にセットされているディスク４を印刷開始位置に位置決めし、取得した印刷制御データに基づいて印刷処理を実行する。
【０１６４】
以上の処理により、ディスク４には、その印刷範囲内に、印刷イメージに基づく画像が形成される。印刷アプリケーション部３６において選択したディスクと、プリンタ２にセットされたディスク４とが一致する場合、そのディスク４には、印刷イメージ生成部３８により生成された印刷イメージが印刷される。
【０１６５】
一方、印刷アプリケーション部３６においてピクチャタイプのディスク４Ｂを選択し、且つ、プリンタ２に標準タイプのディスク４Ａをセットした場合、そのディスク４Ａには、印刷イメージ生成部３８により生成された印刷イメージから、データマスクパターンによりそのディスクの印刷範囲からはみ出す部分をカットした印刷イメージが印刷される。
【０１６６】
特に、制御部１２１は、キャリッジ１４に設けられた反射式光学センサ１８によるディスク４の読み取りに基づいて生成したデータマスクパターンを用いて、装着されたディスク４に対する印刷を実行する。
【０１６７】
その結果、ディスク４に付着したインクは、インク受容層５５に定着し、インク受容層５５以外へのインクの吐出に起因する、標準タイプのディスク４Ａのインク汚染、ディスク搬送トレイ１１のインク汚染、プリンタ２の内部のインク汚染などは、防止される。
【０１６８】
以上の各実施の形態は、本発明の好適な実施の形態の例であるが、本発明は、これに限定されるものではなく、その要旨を逸脱しない範囲において種々の変形、変更が可能である。
【０１６９】
たとえば、上記実施の形態１および２では、コンピュータ１からプリンタ２へ印刷制御データを送信している。この他にもたとえば、上述の実施の形態１，２におけるプリンタドライバ部２５と同一のものを、プリンタ２内で画像ファイルから印刷制御データを生成するＰｉｃｔＢｒｉｄｇｅなどのダイレクト印刷用プリンタに内蔵させてもよい。ダイレクト印刷用プリンタは、ＤＳＣやメモリカードを接続可能なインタフェースを有する。
【０１７０】
上記各実施の形態では、印刷イメージ生成部３８は、印刷を指示されたディスク４の印刷領域に併せて印刷イメージを生成している。この他にもたとえば、印刷イメージ生成部３８は、プリンタ２やプリンタ部１１７にセットされたディスク４の印刷範囲の検出結果に基づいて、その印刷範囲に収まる印刷イメージを生成するようにしてもよい。この他にもたとえば、印刷アプリケーション部３６や印刷指示部１１５は、プリンタ２やプリンタ部１１７にセットされたディスク４の印刷範囲と一致するディスクのみを媒体の選択候補として表示するようにしてもよい。これらの変形例の場合には、ユーザが、プリンタ２やプリンタ部１１７にセットされているディスク４とは異なるディスクを誤って選択してしまうこと自体を、防止することができる。
【産業上の利用可能性】
【０１７１】
本発明は、ディスク型記録媒体の印刷面にユーザ所望の画像などを印刷する印刷システムなどに利用することができる。
【図面の簡単な説明】
【０１７２】
【図１】実施の形態１に係る印刷システムを示すブロック図である。
【図２】印刷可能な標準タイプのディスクの一例を示す図である。
【図３】印刷可能なピクチャタイプのディスクの一例を示す図である。
【図４】ディスク搬送トレイを示す正面図である。
【図５】コンピュータのハードウェア構成を示すブロック図である。
【図６】印刷システムの動作を示すフローチャートである。
【図７】モニタに表示される印刷条件の設定画面である。
【図８】印刷システムの他の動作を示すフローチャートである。
【図９】印刷システムの更に他の動作を示すフローチャートである。
【図１０】実施の形態２に係る印刷システムを示すブロック図である。
【図１１】印刷可能な標準タイプのディスクの一例を示す図である。
【図１２】印刷可能なピクチャタイプのディスクの一例を示す図である。
【図１３】実施の形態３に係る印刷システムを示すブロック図である。
【図１４】実施の形態４に係る印刷システムを示すブロック図である。
【符号の説明】
【０１７３】
１  コンピュータ（印刷制御データ生成装置）、２  プリンタ（印刷装置）、４  ディスク型記録媒体（記録媒体）、４Ａ  印刷可能な標準タイプのディスク型記録媒体、４Ｂ  印刷可能なピクチャタイプのディスク型記録媒体、１４  キャリッジ、１６  カラーインクカートリッジ（インクカートリッジ）、１７  ブラックインクカートリッジ（インクカートリッジ）、１８  反射式光学センサ（光学センサ、印刷範囲検出手段）、２１  通信Ｉ／Ｆ（印刷制御データ取得手段）、２３，９１，１２１  制御部（印刷制御手段）、３６  印刷アプリケーション部（タイプ選択手段）、３８  印刷イメージ生成部（印刷イメージ生成手段）、４０  印刷イメージ修正部（印刷イメージ修正手段）、４１  印刷制御データ生成部（印刷制御データ生成手段）、５２  チャッキング孔、１０１，１０２  円環マーク（マーク）、１１１  複合機（印刷システム）、１１５  印刷指示部（タイプ選択手段）
【図１】
2006255905.tif 000003
【図２】
2006255905.tif 000004
【図３】
2006255905.tif 000005
【図４】
2006255905.tif 000006
【図５】
2006255905.tif 000007
【図６】
2006255905.tif 000008
【図７】
2006255905.tif 000009
【図８】
2006255905.tif 000010
【図９】
2006255905.tif 000011
【図１０】
2006255905.tif 000012
【図１１】
2006255905.tif 000013
【図１２】
2006255905.tif 000014
【図１３】
2006255905.tif 000015
【図１４】
2006255905.tif 000016